【事件の表示】
　平成　５年特許願第２９８５５４号「移動体用ナビゲーション装置」拒絶査定不服審判事件〔平成　７年　６月１６日出願公開、特開平　７−１５１５５６〕について、次のとおり審決する。
【結論】
　本件審判の請求は、成り立たない。
【理由】
１．手続きの経緯・本願発明
　本願は、平成５年１１月２９日の出願であって、その請求項２に係る発明（以下、「本願発明」という。）は、平成１６年２月３日付の手続補正書によって補正された明細書および図面の記載からみて、本願の特許請求の範囲の請求項２に記載されたとおりの次のものと認める。
「道路データを記憶した地図データ記憶手段と、
　検出した位置情報と道路データとに基づき最も可能性の高い道路上の候補位置を自車位置として選択する位置検出照合手段と、
　地図上に自車位置を表示する表示手段を備えた移動体用ナビゲーション装置において、
自車位置を修正可能な高速道路と一般道路を選択可能な文字情報が表示され、そのいずれかを選択可能な入力手段を有し、
入力手段により道路が選択された場合、選択された道路上に求められる位置に自車位置を補正することを特徴とする移動体用ナビゲーション装置。」
２．引用刊行物記載の発明
　これに対して、原査定の拒絶の理由に引用された特開平３−２６９３１７号公報（平成３年１１月２９日公開、以下「引用例１」という。）には、「位置検出方式」に関する発明が開示されており、そこには、図面とともに次の事項が記載されている。
「走行距離を検出する距離センサ、
　進行方位を検出する方位センサ、
　地図データを格納している地図情報記憶手段、
　ユーザーが使用する操作手段、
　前記距離センサおよび方位センサが検出したデータに基づいて候補位置を演算して制御を行う制御手段、
　演算された複数の候補位置を格納する候補位置記憶手段、
　前記複数の候補位置の中から一つを現在位置として出力する表示手段、
が備えられた位置検出方式において、
　前記表示手段に誤って出力されている現在位置がユーザーの操作によって修正されること、
を特徴とする位置検出方式。」（特許請求の範囲）、
「［産業上の利用分野］
　この発明は、車などの移動手段をもつものがセンサからの移動距離、進行方位を用いて地図上のどの位置に存在するのかを検出する自立型位置検出方式に関するものであり、特に、誤って表示されている現在位置がユーザーの操作によって修正されることができることに特徴のある自立型位置検出方式に関するものである。」（第（１）頁右欄第１〜８行）、
「第４図は例えば特開昭６４−５３１１２号公報に開示されている従来の方位検出方式を示す構成図である。この第４図において、（１）は走行距離を検出する距離センサ、（２）は進行方位を検出する方位センサ、（３）は地図データを格納している地図情報記憶手段、（４）はユーザーが使用する操作手段、（５）は演算および制御を行う制御手段、（６）は制御手段（５）で演算によって得られた複数の候補位置を格納する候補位置記憶手段、（７）は現在位置を出力する表示手段である。
　次に、現在位置を求める動作を上記第４図に基づいて説明する。
　距離センサ（１）、方位センサ（２）から一定距離（あるいは一定時間）毎に移動距離および進行方位が検出されて、制御手段（５）において積算される。
　次に、制御手段（５）において、照合タイミング毎に、例えば１０回のデータ積算毎に、それらの積算されたデータと候補位置記憶手段（６）から得られる前回に求められた候補位置を用いて現在の推定位置が演算され、これらの推定位置と地図情報記憶手段（３）から得られる地図データとが照合される。
　ここでいう照合とは、推定位置と地図データとの位置関係や方位一致性などを確率的に求めて得点をつけるものである。
　また、照合タイミングはあらかじめ規定されるものである。
　制御手段（５）において照合された複数の推定位置のうちの所定の得点以上のものは候補位置記憶手段（６）に格納されるとともに、そのうちの最も得点の高いものが一つだけ現在位置として表示手段（７）に出力される。」（第（２）頁左上欄第４行〜同頁右上欄第１６行）、
「ユーザーは操作手段（４）内の修正キー（図示されない）を押して表示手段（７）を修正状態にする。修正状態では、第２図（ｂ）に示されているように、候補位置記憶手段（６）に記憶されているすべての候補位置がディスプレイに表示されるとともに、それぞれの候補位置に対応した候補キーの内容が表示される。ユーザーが正しい位置を候補キーから選択して操作手段（４）内の対応する候補キー（図示されない）を押すとその内容がディスプレイに表示される。」（第（３）頁左上欄第２〜１１行）
　車などの移動手段をもつものがセンサからの移動距離、進行方位を用いて地図上のどの位置に存在するかを表示するものは、いわゆる移動体用ナビゲーション装置であるから、これらの記載事項によると、引用例１には、「地図データを格納している地図情報記憶手段と、走行距離を検出する距離センサ、進行方位を検出する方位センサと、距離センサおよび方位センサが検出したデータと地図データとに基づき候補位置を求め、候補位置のうち最も得点の高いもの一つだけを現在位置として表示手段に出力する制御手段と、現在位置を出力する表示手段を備えた移動体用ナビゲーション装置において、修正状態において、候補位置記憶手段に記憶されているすべての候補位置を表示するとともに、それぞれの候補位置に対応した候補キーを有し、ユーザーが候補キーを選択するとその内容がディスプレイに表示される移動体用ナビゲーション装置。」の発明（以下、「引用例１記載の発明」という。）が記載されていると認められる。
３．対比
　本願発明と引用例１記載の発明を対比すると、引用例１記載の発明における「地図データ」、「地図情報記憶手段」、「距離センサおよび方位センサが検出したデータ」、「候補位置のうち最も得点の高いもの一つだけを現在位置として表示手段に出力する」、「制御手段」はそれぞれ、本願発明における「道路データ」、「地図データ記憶手段」、「検出した位置情報」、「最も可能性の高い道路上の候補位置を自車位置として選択する」、「位置検出照合手段」に相当するものであり、また、引用例１記載の発明における「修正状態において、候補位置記憶手段に記憶されているすべての候補位置を表示するとともに、それぞれの候補位置に対応した候補キーを有」することと本願発明における「自車位置を修正可能な高速道路と一般道路を選択可能な文字情報が表示され、そのいずれかを選択可能な入力手段を有」することとは、自車位置を修正可能な選択肢を表示し、そのいずれかを選択可能な入力手段を有する点で共通しており、また、引用例１記載の発明における「ユーザーが候補キーを選択するとその内容がディスプレイに表示される」ことと本願発明における「入力手段により道路が選択された場合、選択された道路上に求められる位置に自車位置を補正すること」とは、入力手段により選択肢の一つが選択された場合、選択された選択肢にしたがって自車位置を補正する点で共通しているから、両者は、「道路データを記憶した地図データ記憶手段と、検出した位置情報と道路データとに基づき最も可能性の高い道路上の候補位置を自車位置として選択する位置検出照合手段と、地図上に自車位置を表示する表示手段を備えた移動体用ナビゲーション装置において、自車位置を修正可能な選択肢が表示され、そのいずれかを選択可能な入力手段を有し、入力手段により選択肢の一つがが選択された場合、選択された選択肢にしたがって自車位置を補正する移動体用ナビゲーション装置」である点で一致し、次の点において相違する。
　修正可能な選択肢について、本願発明においては、高速道路と一般道路を選択可能な文字情報であるのに対し、引用例１記載の発明においては、候補位置記憶手段に記憶されているすべての候補位置であり、また、入力手段により選択肢の一つが選択された場合、選択された選択肢にしたがって自車位置を補正する点に関し、本願発明においては、選択された道路上に求められる位置に自車位置を補正するのに対し、引用例１記載の発明においては、選択された候補位置に自車位置を補正する点。
４．当審の判断
　上記相違点について検討すると、自動車用ナビゲーション装置において、高速道路と一般道路が並行している場合に、速度等の検出値に基づいて、高速道路上にいるのか一般道路上にいるのかを判断し表示することが周知であり（一例として、特開平４−１０５０１２号公報参照）、そのような判断を運転者の操作にまかせ、その判断にしたがって選択された道路上に自車位置を補正するようにすることが、当業者にとって、格別想到困難なことであるとは認められず、引用例１記載の発明において、修正候補として、候補位置記憶手段に記憶されている候補位置の代わりに、高速道路と一般道路とする程度のことは、当業者にとって容易に想到し得ることである。また、修正可能な選択肢を文字情報である名称で表示することは、原査定にもあるように周知の技術にすぎず（例えば、原査定時に提示された特開平４−１５９５９０号公報、特開平２−３８８１３号公報参照）、修正候補を文字情報で表示することが、当業者にとって格別なことであるとも認められない。
　そして、本願発明の構成によってもたらされる効果も、引用例１に記載されたもの、および周知技術から当業者が予測し得る程度のものである。
５．むすび
　したがって、本願発明は、引用例１に記載された発明、および周知技術に基づいて当業者が容易に発明をすることができたものであるので、特許法第２９条第２項の規定により特許を受けることができない。
　よって、結論のとおり審決する。